(57)【要約】【課題】コンテンツ記録再生装置におけるコンテンツ管理を容易にする。【解決手段】コンテンツ記録再生装置（１０）は、受信したコンテンツを記録する記録部（１０１）と、受信したコンテンツのダイジェストを生成するダイジェスト生成部（１０２）と、ポータブルコンテンツプレーヤ（２０）に、ダイジェストを送信するための出力インタフェース（１０３）と、ポータブルコンテンツプレーヤ（２０）からポータブルコンテンツプレーヤ（２０）でのダイジェストの再生履歴を受信するための入力インタフェース（２０１）と、受信した再生履歴に基づいて記録部（１０１）に記録されたコンテンツの消去の可否を決定する管理部（１０５）とを備えている。【選択図】図１
2008108364.tif 000002
【特許請求の範囲】
【請求項１】
受信したコンテンツの記録及び再生をするコンテンツ記録再生装置であって、
前記受信したコンテンツを記録する記録部と、
前記受信したコンテンツのダイジェストを生成するダイジェスト生成部と、
ポータブルコンテンツプレーヤに、前記ダイジェストを送信するための出力インタフェースと、
前記ポータブルコンテンツプレーヤから、前記ポータブルコンテンツプレーヤでの前記ダイジェストの再生履歴を受信するための入力インタフェースと、
前記受信した再生履歴に基づいて、前記記録部に記録されたコンテンツの消去の可否を決定する管理部とを備えた
ことを特徴とするコンテンツ記録再生装置。
【請求項２】
請求項１に記載のコンテンツ記録再生装置において、
前記ダイジェスト生成部は、前記受信したコンテンツのデータを間引いて前記ダイジェストを生成する
ことを特徴とするコンテンツ記録再生装置。
【請求項３】
請求項１に記載のコンテンツ記録再生装置において、
前記ダイジェスト生成部は、前記受信したコンテンツにおけるハイライトのデータ及びそれ以外のデータのそれぞれについて、異なる圧縮率でデータ圧縮をして前記ダイジェストを生成する
ことを特徴とするコンテンツ記録再生装置。
【請求項４】
請求項１に記載のコンテンツ記録再生装置において、
前記入力インタフェースは、前記ポータブルコンテンツプレーヤから、前記ダイジェストに係るコンテンツに対するユーザの評価を受信するものであり、
前記管理部は、前記受信したユーザの評価に基づいて、前記記録部に記録されたコンテンツの消去の可否を決定する
ことを特徴とするコンテンツ記録再生装置。
【請求項５】
請求項１に記載のコンテンツ記録再生装置において、
前記評価は、前記ダイジェストの原版コンテンツの消去の可否に係るユーザの意向を示すデータである
ことを特徴とするコンテンツ記録再生装置。
【請求項６】
受信したコンテンツの記録及び再生をするコンテンツ記録再生装置であって、
前記受信したコンテンツを記録する記録部と、
前記受信したコンテンツのダイジェストを生成するダイジェスト生成部と、
前記記録部に記録されたコンテンツについて、ユーザごとの、当該原版及び前記ダイジェストの再生履歴に基づいて、消去の可否を決定する管理部とを備えた
ことを特徴とするコンテンツ記録再生装置。
【請求項７】
請求項６に記載のコンテンツ記録再生装置において、
前記管理部は、前記記録部に記録されたコンテンツについて、ユーザごとの、当該コンテンツに対する評価に基づいて、消去の可否を決定する
ことを特徴とするコンテンツ記録再生装置。
【請求項８】
請求項６に記載のコンテンツ記録再生装置において、
ポータブルコンテンツプレーヤに、前記ダイジェストを送信するための出力インタフェースと、
前記ポータブルコンテンツプレーヤから、前記ポータブルコンテンツプレーヤでの前記ダイジェストの再生履歴を受信するための入力インタフェースとを備え、
前記管理部は、ユーザごとの前記受信した再生履歴に基づいて、前記記憶部に記録されたコンテンツの消去の可否を決定する
ことを特徴とするコンテンツ記録再生装置。
【請求項９】
請求項８に記載のコンテンツ記録再生装置において、
前記ポータブルコンテンツプレーヤは、当該コンテンツ記録再生装置のユーザごとに固有のものであり、
前記管理部は、前記再生履歴の送信元のポータブルコンテンツプレーヤに対応するユーザを識別する
ことを特徴とするコンテンツ記録再生装置。
【請求項１０】
請求項８に記載のコンテンツ記録再生装置において、
前記入力インタフェースは、前記ポータブルコンテンツプレーヤから、前記ダイジェストに係るコンテンツに対するユーザの評価を受信するものであり、
前記管理部は、ユーザごとの前記受信した評価に基づいて、前記記憶部に記録されたコンテンツの消去の可否を決定する
ことを特徴とするコンテンツ記録再生装置。
【請求項１１】
請求項７及び１０のいずれか一つに記載のコンテンツ記録再生装置において、
前記評価は、前記原版の消去の可否に係るユーザの意向を示すデータである
ことを特徴とするコンテンツ記録再生装置。
【請求項１２】
与えられたコンテンツを再生する可搬型のプレーヤであって、
請求項１及び８のいずれか一つに記載のコンテンツ記録再生装置から、前記ダイジェストを受信するための入力インタフェースと、
当該プレーヤでの前記ダイジェストの再生履歴を管理する管理部と、
前記コンテンツ記録再生装置に、前記再生履歴を送信するための出力インタフェースとを備えた
ことを特徴とするポータブルコンテンツプレーヤ。
【請求項１３】
請求項１２に記載のポータブルコンテンツプレーヤにおいて、
前記管理部は、前記ダイジェストに係るコンテンツ対するユーザの評価を管理する
ことを特徴とするポータブルコンテンツプレーヤ。
【請求項１４】
請求項１２に記載のポータブルコンテンツプレーヤにおいて、
前記評価は、前記ダイジェストの原版の消去の可否に係るユーザの意向を示すデータである
ことを特徴とするポータブルコンテンツプレーヤ。
【発明の詳細な説明】
【技術分野】
【０００１】
本発明は、映像、音声、データなどが多重化された地上デジタル放送などのマルチメディアコンテンツの記録再生装置に関し、特に、録り貯めた大量のコンテンツを容易に管理及び整理するコンテンツ記録再生装置に関する。
【背景技術】
【０００２】
近年、ハードディスクドライブ（ＨＤＤ）の大容量化に伴い、一般家庭にあるＨＤＤ内蔵ＤＶＤレコーダなどのコンテンツ記録再生装置に大量のコンテンツを蓄積することができるようになってきた。しかし、一方で、録画はしたものの時間的制約からすべてのコンテンツを視聴することができないという事態が生じてきた。そこで、録画したコンテンツのダイジェストを生成することによって、例えば、１時間の番組について１５分程度でその概要を把握できるようにする短時間視聴機能がＨＤＤ内蔵ＤＶＤレコーダやテレビ受信機能付きパソコンなどに搭載されている（例えば、特許文献１及び２参照）。また、ＨＤＤ内蔵ＤＶＤレコーダなどに録画したコンテンツを、著作権を保護しつつ外出先に持ち出して、ポータブルコンテンツプレーヤなどで視聴できるようにしている（例えば、特許文献３及び４参照）。
【特許文献１】特開２００１―４５４０８号公報
【特許文献２】特開２００２―３４４８７１号公報
【特許文献３】特開２００５―２６７３０４号公報
【特許文献４】特開２００５―３３２０９２号公報
【発明の開示】
【発明が解決しようとする課題】
【０００３】
ＨＤＤの容量には限りがあるため、録り貯めたコンテンツを適宜消去して整理する必要がある。上記の技術によって、確かに外出先でコンテンツのダイジェストを視聴することができるようにはなるが、その原版の整理はなおもコンテンツ記録再生装置において別途行わなければならない。また、複数のユーザが共通のコンテンツ記録再生装置を利用する場合には、コンテンツの整理に関してユーザ相互に確認をした上で当該コンテンツに対してフルアクセス権を有する代表ユーザが消去作業を行わなければならない。このように、コンテンツの管理は比較的煩雑である。
【０００４】
上記問題に鑑み、本発明は、コンテンツ記録再生装置におけるコンテンツ管理を容易にすることを課題とする。
【課題を解決するための手段】
【０００５】
上記課題を解決するために本発明が講じた手段は、受信したコンテンツの記録及び再生をするコンテンツ記録再生装置として、受信したコンテンツを記録する記録部と、受信したコンテンツのダイジェストを生成するダイジェスト生成部と、ポータブルコンテンツプレーヤにダイジェストを送信するための出力インタフェースと、ポータブルコンテンツプレーヤからポータブルコンテンツプレーヤでのダイジェストの再生履歴を受信するための入力インタフェースと、受信した再生履歴に基づいて記録部に記録されたコンテンツの消去の可否を決定する管理部とを備えたものとする。
【０００６】
これによると、コンテンツ記録再生装置に記録されているコンテンツのダイジェストをポータブルコンテンツプレーヤで視聴することができるため、コンテンツ記録再生装置に記録されたコンテンツを確認する機会が増え、録り貯めたコンテンツの整理が促進される。また、ポータブルコンテンツプレーヤでのダイジェストの再生履歴がコンテンツ記録再生装置における原版コンテンツの管理に反映されるため、コンテンツ記録再生装置に録り貯めたコンテンツの整理が容易になる。
【０００７】
具体的には、ダイジェスト生成部は、受信したコンテンツのデータを間引いて、又は、受信したコンテンツにおけるハイライトのデータ及びそれ以外のデータのそれぞれについて異なる圧縮率でデータ圧縮をして、ダイジェストを生成する。
【０００８】
好ましくは、入力インタフェースは、ポータブルコンテンツプレーヤからダイジェストに係るコンテンツに対するユーザの評価を受信するものとする。また、管理部は、受信したユーザの評価に基づいて記録部に記録されたコンテンツの消去の可否を決定するものとする。具体的には、当該評価は、ダイジェストの原版コンテンツの消去の可否に係るユーザの意向を示すデータである。これによると、ユーザの意向を反映したコンテンツの整理が可能となる。
【０００９】
一方、本発明が講じた手段は、受信したコンテンツの記録及び再生をするコンテンツ記録再生装置として、受信したコンテンツを記録する記録部と、受信したコンテンツのダイジェストを生成するダイジェスト生成部と、記録部に記録されたコンテンツについてユーザごとの当該原版及びダイジェストの再生履歴に基づいて消去の可否を決定する管理部とを備えているものとする。
【００１０】
これによると、複数のユーザが１台のコンテンツ記録再生装置を共用する場合において、ユーザ間の意思疎通がうまくいかずにコンテンツが不用意に消去されるといったことをなくすことができる。
【００１１】
好ましくは、管理部は、記録部に記録されたコンテンツについてユーザごとの当該コンテンツに対する評価に基づいて消去の可否を決定するものとする。具体的には、当該評価は、原版の消去の可否に係るユーザの意向を示すデータである。これによると、複数のユーザの意向を反映したコンテンツの整理が可能となる。
【００１２】
また、好ましくは、上記のコンテンツ記録再生装置は、ポータブルコンテンツプレーヤにダイジェストを送信するための出力インタフェースと、ポータブルコンテンツプレーヤからポータブルコンテンツプレーヤでのダイジェストの再生履歴を受信するための入力インタフェースとを備えたものとする。そして、管理部は、ユーザごとの受信した再生履歴に基づいて記憶部に記録されたコンテンツの消去の可否を決定するものとする。
【００１３】
より好ましくは、ポータブルコンテンツプレーヤは、当該コンテンツ記録再生装置のユーザごとに固有のものとする。また、管理部は、再生履歴の送信元のポータブルコンテンツプレーヤに対応するユーザを識別するものとする。
【００１４】
また、より好ましくは、入力インタフェースは、ポータブルコンテンツプレーヤからダイジェストに係るコンテンツに対するユーザの評価を受信するものとする。また、管理部は、ユーザごとの受信した評価に基づいて記憶部に記録されたコンテンツの消去の可否を決定するものとする。具体的には、当該評価は、原版の消去の可否に係るユーザの意向を示すデータである。
【００１５】
一方、本発明が講じた手段は、与えられたコンテンツを再生する可搬型のプレーヤとして、上記のコンテンツ記録再生装置からダイジェストを受信するための入力インタフェースと、当該プレーヤでのダイジェストの再生履歴を管理する管理部と、コンテンツ記録再生装置に再生履歴を送信するための出力インタフェースとを備えたものとする。
【００１６】
好ましくは、管理部は、ダイジェストに係るコンテンツ対するユーザの評価を管理するものとする。具体的には、当該評価は、ダイジェストの原版の消去の可否に係るユーザの意向を示すデータである。
【発明の効果】
【００１７】
以上のように本発明によると、コンテンツ記録再生装置を一人のユーザが専用する又は複数のユーザが共用するとにかかわらず、コンテンツ記録再生装置に記録されたコンテンツの整理が促進され、また、コンテンツ管理が容易になる。
【発明を実施するための最良の形態】
【００１８】
以下、本発明を実施するための最良の形態について、図面を参照しながら説明する。
【００１９】
（第１の実施形態）
図１は、第１の実施形態に係るコンテンツ記録再生装置及びポータブルコンテンツプレーヤからなるシステムの構成を示す。コンテンツ記録再生装置１０は、据え置き型のＨＤＤ内蔵テレビ放送受信機、テレビ放送受信機能付きパソコン、ＨＤＤレコーダなどである。また、ポータブルコンテンツプレーヤ２０は、携帯電話機、ＰＤＡ、動画表示機能付き携帯音楽プレーヤなどである。
【００２０】
コンテンツ記録再生装置１０は、地上デジタル放送などからコンテンツを受信してそれを記録及び再生する機能、必要に応じてハイライトシーンを集約あるいは時間軸を圧縮するなどして受信したコンテンツのダイジェストを生成する機能、及びポータブルコンテンツプレーヤ２０と通信する機能を有する。具体的には、装置１０は、ＨＤＤ１０１、ダイジェスト生成部１０２、出力インタフェース１０３、入力インタフェース１０４、及び管理部１０５を備えている。
【００２１】
ポータブルコンテンツプレーヤ２０は、装置１０から所望のコンテンツのダイジェストを受信してこれを再生する機能、及び当該ダイジェストの再生履歴及びこれに対するユーザの評価を管理する機能、及び当該管理している情報を装置１０に送信する機能を有する。具体的には、プレーヤ２０は、入力インタフェース２０１、管理部２０２、及び出力インタフェース２０３を備えている。
【００２２】
装置１０からプレーヤ２０に送信されるダイジェストはメモリ２０４に記憶される。メモリ２０４は、プレーヤ２０に組み込まれていてもよいし、フラッシュメモリ、ＵＳＢメモリ、ＳＤカード、ＣＦメモリカードなどの取り外し可能な記憶媒体であってもよい。後者の場合、装置１０はメモリ２０４にダイジェストを書き込み、プレーヤ２０はメモリ２０４からダイジェストを読み出すことで、装置１０からプレーヤ２０にダイジェストが送信される。
【００２３】
次に、本実施形態に係るシステムの動作について図２に示した動作フローを参照しながら説明する。ダイジェスト生成部１０２は、ＨＤＤ１０１へのコンテンツの記録と並行して又はＨＤＤ１０１に記録されたコンテンツを読み出し、当該コンテンツにおけるハイライトの度合いを表すパラメータＢ０を算出する（Ｓ１１）。パラメータＢ０は、所定の評価関数に、音量や音の特徴、画像の明るさ、ズームインやシーンチェンジなどの時間的な画像変化量などの各評価値を与えることによって算出される。なお、字幕データやブルーレイディスク（ＢＤ）のメタデータなどの補助データがダイジェスト生成部１０２に与えられる場合には、当該補助データを加味してパラメータＢ０を算出するようにしてもよい。ダイジェスト生成部１０２は、生成したダイジェストが目標時間Ｂ１に収まるようにパラメータＢ０の閾値ＢＴを決定する。目標時間Ｂ１は、管理部１０５にＵＩデータとして入力される（Ｓ１２）。そして、ダイジェスト生成部１０２は、パラメータＢ０及び閾値ＢＴに基づいてダイジェストを生成し、当該生成したダイジェストをその原版コンテンツのＩＤと関連づけてＨＤＤ１０１に記録する（Ｓ１３）。
【００２４】
なお、ＨＤＤ１０１にはダイジェストではなくパラメータＢ０のみを記録するようにしてもよい。この場合、ダイジェストの再生又は外部出力の度にリアルタイムでダイジェストを生成しなければならないため、比較的大きな処理能力が要求されるが、ＨＤＤ１０１における記憶容量の消費が削減できるというメリットがある。逆に、ＨＤＤ１０１にダイジェストを記録する場合には、ＨＤＤ１０１における記憶容量が多く消費されるが、処理能力が比較的小さくて済むというメリットがある。
【００２５】
ユーザは、自宅などに設置された装置１０でダイジェストを視聴することもできるし、プレーヤ２０に転送して外出先で視聴することもできる。ダイジェストをプレーヤ２０で再生するには、まず、出力インタフェース１０３からプレーヤ２０にダイジェストを送信する（Ｓ１４）。場合によってはメタデータもプレーヤ２０に送信してもよい。これら送信は、ＵＳＢ回線、１３９４回線、有線／無線ＬＡＮ回線、ＨＤＭＩ回線などを通じて実行される。また、ＳＤカードなどの記憶媒体を介してプレーヤ２０にダイジェストを渡すようにしてもよい。これにより、プレーヤ２０におけるメモリ２０４にダイジェストが格納され、プレーヤ２０においてダイジェストを再生することができる。
【００２６】
プレーヤ２０でダイジェストを再生すると管理部２０２によってその再生履歴が記録される。また、当該ダイジェストに係るコンテンツに対するユーザの評価を記録してもよい。具体的に、当該評価は、「消去可」、「永久保存」、「再視聴希望」などの、原版コンテンツの消去の可否に係るユーザの意向を示すデータである。ユーザの評価は、管理部２０２にＵＩデータとして入力される。これら再生履歴及びユーザの評価は、原版コンテンツのＩＤと関連づけてメモリ２０４又はその他の適当なメモリに記録される（Ｓ１５）。
【００２７】
プレーヤ２０を外出先から持ち帰って自宅などに設置された装置１０に接続すると、プレーヤ２０に記録されている再生履歴及びユーザの評価が、出力インタフェース２０３から適当な通信回線を介して装置１０に送信される。装置１０における入力インタフェース１０４は、プレーヤ２０において記録された再生履歴及びユーザの評価を原版コンテンツのＩＤと関連づけて読み出す（Ｓ１６）。管理部１０５は、プレーヤ２０から読み出した再生履歴及びユーザの評価に基づいて、原版コンテンツを「消去可」、「永久保存」、「フルデータでの再視聴」などのランクに分けて原版コンテンツの消去の可否を決定する（Ｓ１７）。装置１０側での原版コンテンツ及びダイジェストのそれぞれの再生履歴及びユーザの評価と合わせて原版コンテンツの消去の可否を決定してもよい。「消去可」にランク分けされた原版コンテンツは、速やかに消去してもよいし、ＨＤＤ１０１の残容量が少なくなったときに消去してもよい。
【００２８】
以上説明したように、本実施形態によると、コンテンツ記録再生装置１０に記録されたコンテンツのダイジェストを所望の時間と場所においてポータブルコンテンツプレーヤ２０で視聴することができる。これにより、コンテンツ記録再生装置１０に記録されたコンテンツを確認する機会が増え、録り貯めたコンテンツの整理が促進される。また、ポータブルコンテンツプレーヤ２０でのダイジェストの再生履歴及びユーザの評価がコンテンツ記録再生装置１０における原版コンテンツの管理に反映される。これにより、コンテンツ記録再生装置１０に録り貯めたコンテンツの整理が容易になる。
【００２９】
（第２の実施形態）
第１の実施形態ではコンテンツ記録再生装置のユーザが一人であることを想定しているが、第２の実施形態では複数のユーザが１台のコンテンツ記録再生装置を共用する場合を取り扱う。本実施形態に係るシステムは、基本的には図１に示したシステムと同様の構成をしている。以下、第１の実施形態と異なる点についてのみ説明する。
【００３０】
ＨＤＤ１０１にはユーザ別の管理データが格納されている。管理部１０５は、入力されたログインＩＤによってユーザを識別する。場合によってはパスワードを用いてユーザ認証を行う。これらログインＩＤ及びパスワードはＵＩデータとして与えられる。また、プレーヤ２０はユーザごとに固有のものであり、機器ＩＤによって識別可能となっている。
【００３１】
次に、本実施形態に係るシステムの動作について図３に示した動作フローを参照しながら説明する。管理部１０５は、ログインＩＤ及び必要に応じてパスワードによってユーザ認証を行い、認証したユーザごとにコンテンツの記録や録画予約などの管理を行う（Ｓ２１）。ＨＤＤ１０１に記録されたコンテンツについては、それを作成したユーザがオーナー権限を有する。あるコンテンツについてオーナー権限を有するユーザは、当該コンテンツにアクセスする他のユーザを追加登録することができる。管理部１０５は、ＨＤＤ１０１に記録された各コンテンツの原版及びダイジェストについてのユーザごとの再生履歴及び場合によっては評価を参照して適宜コンテンツの整理を行う（Ｓ２２）。具体的には、あるコンテンツについて登録されている全ユーザが当該コンテンツに対して「消去可」の評価をしているとき、管理部１０５は当該コンテンツを消去可能であると決定する。
【００３２】
ダイジェスト生成部１０２によって生成されたダイジェストは外部に持ち出してプレーヤ２０で再生することも可能である。この場合、ダイジェスト及び場合によってはメタデータが、出力インタフェース１０３からユーザに固有のプレーヤ２０に出力される（Ｓ２４）。プレーヤ２０でのダイジェストの再生履歴及びユーザの評価は、原版コンテンツのＩＤと関連づけてメモリ２０４又はその他の適当なメモリに記録される（Ｓ２５）。
【００３３】
その後、プレーヤ２０が装置１０に接続されると、入力インタフェース１０４は、プレーヤ２０から機器ＩＤ、ダイジェストの再生履歴及びユーザの評価を読み出す（Ｓ２５）。管理部１０５は、読み出された機器ＩＤから当該プレーヤ２０のユーザを特定する。そして、読み出された再生履歴及びユーザの評価を参照して、ＨＤＤ１０１に格納された当該ユーザの管理データを更新する（Ｓ２６）。その後、管理部１０５は、各ユーザの管理データを参照して、ＨＤＤ１０１に記録された各コンテンツの消去の可否を決定する（Ｓ２７）。
【００３４】
図４は、管理データの具体例を可視化したものである。本例では、３つのコンテンツ「番組１」、「番組２」及び「番組３」が管理されている。装置１０を利用するユーザは４人おり、ユーザＦ１〜Ｆ４は、装置１０（ホーム機器）においてそれぞれのユーザＩＤ「ＩＤ＿１」、「ＩＤ＿２」、「ＩＤ＿３」及び「ＩＤ＿４」として識別される。また、ユーザＦ１〜Ｆ４のそれぞれの固有のプレーヤ２０（ポータブル機器）は、それぞれの機器ＩＤ「ＰＩＤ＿１」、「ＰＩＤ＿２」、「ＰＩＤ＿３」及び「ＰＩＤ＿４」として識別される。
【００３５】
「番組１」についての管理状況は次のようになっている。すなわち、ユーザＦ１、Ｆ２、Ｆ３及びＦ４が登録されており、オーナーはユーザＦ１である。ユーザＦ１は、プレーヤ２０においてダイジェストを視聴して「消去可」の評価を与えた。ユーザＦ２は、装置１０においてダイジェストを視聴して「消去可」の評価を与えた。ユーザＦ３は、装置１０において原版を視聴して「消去可」の評価を与えた。ユーザＦ４は、装置１０においてダイジェストを視聴して「再視聴」の評価を与えたが、その後、装置１０において原版を視聴して「消去可」の評価を与えた。以上の管理状況から、管理部１０５は、登録された全ユーザが「消去可」の評価を与えているため、「番組１」について「消去可」の決定をする。
【００３６】
「番組２」についての管理状況は次のようになっている。すなわち、ユーザＦ２及びＦ４が登録され、オーナーはユーザＦ２である。ユーザＦ２は、プレーヤ２０においてダイジェストを視聴して「保存」の評価を与えた。ユーザＦ４は、装置１０において原版を視聴して「消去可」の評価を与えた。以上の管理状況から、管理部１０５は、登録された全ユーザのうち一人が「保存」の評価を与えているため、「番組２」について「保存」の決定をする。
【００３７】
「番組３」についての管理状況は次のようになっている。すなわち、ユーザＦ２のみが登録され、オーナーはユーザＦ２である。ユーザＦ２は、プレーヤ２０においてダイジェストを視聴して「再視聴」の評価を与えた。しかし、装置１０においては未視聴となっているため、評価と実際の再生履歴とが不整合を起こしている。以上の管理状況から、管理部１０５は、「番組３」についての処分を保留し、結果として、「番組３」は再視聴待ち、すなわち、「保存」の決定がされる。
【００３８】
各コンテンツについて、再生履歴とユーザの評価との組み合わせはさまざまである。図４はそれらのほんの一例を示したに過ぎない。全般的な共通ルールとして、全ユーザが最終的に「消去可」の評価を与えたコンテンツは「消去可」にする。一人でも「保存」の評価を与えていれば、そのコンテンツは「保存」する。なお、未視聴の期間を参照して、例えば、長期間未視聴のまま放置されているコンテンツについては「消去可」にしてもよい。また、オーナーの権限で強制的に「消去可」にしてもよい。
【００３９】
以上説明したように、本実施形態によると、複数のユーザが１台のコンテンツ記録再生装置１０を共用する場合において、ユーザ別の管理データを参照してコンテンツを管理することができる。これにより、ユーザ間の意思疎通がうまくいかずにコンテンツが不用意に消去されるといったことをなくすことができる。また、ポータブルコンテンツプレーヤ２０でのダイジェストの再生履歴及びユーザの評価がコンテンツ記録再生装置１０における原版コンテンツの管理に反映される。これにより、コンテンツ記録再生装置１０に録り貯めたコンテンツの整理が容易になる。
【００４０】
なお、ダイジェストを持ち出さない利用形態であれば、図３に示したステップＳ２３〜Ｓ２６は不要である。また、ユーザ認証をコンテンツの視聴制限に利用してもよい。
【００４１】
また、第１及び第２の実施形態において、プレーヤ２０においてユーザ認証を行うようにしてもよい。この場合、ユーザＩＤ及びパスワードはＵＩデータとして管理部２０２に入力される。また、ダイジェストは、ロスレス圧縮などのデータ圧縮のみで時間軸圧縮を伴わないものであってもよい。さらに、例えば、「１ヶ月後に消去可」といった時限を伴った評価を採用してもよい。この場合、より柔軟なコンテンツ管理が可能となる。一方、プレーヤ２０はダイジェストの再生履歴のみを記録するようにしてもよい。この場合、評価の入力をする手間が省け、操作が簡易になるというメリットがある。
【産業上の利用可能性】
【００４２】
本発明に係るコンテンツ記録再生装置は、録り貯めたコンテンツの効率的な整理が可能であるため、特に大容量のＨＤＤレコーダなどとして有用である。
【図面の簡単な説明】
【００４３】
【図１】本発明に係るコンテンツ記録再生装置及びポータブルコンテンツプレーヤからなるシステムの構成図である。
【図２】第１の実施形態に係るシステムの動作フロー図である。
【図３】第２の実施形態に係るシステムの動作フロー図である。
【図４】本発明に係るコンテンツ管理に係る管理データを可視化した図である。
【符号の説明】
【００４４】
１０    コンテンツ記録再生装置
１０１  ＨＤＤ（記録部）
１０２  ダイジェスト生成部
１０３  出力インタフェース
１０４  入力インタフェース
１０５  管理部
２０    ポータブルコンテンツプレーヤ
２０１  入力インタフェース
２０２  管理部
２０３  出力インタフェース
【図１】
2008108364.tif 000003
【図２】
2008108364.tif 000004
【図３】
2008108364.tif 000005
【図４】
2008108364.tif 000006